(57)【要約】      （修正有）【課題】盗難に遭い難く、仮設柵を安定姿勢で保持することのできるウエイトブロックを提供する。【課題手段】ブロック本体とバネ材２０を備える。ブロック本体は、平面長方形である本体部分の略下半部に設けた切込凹所１１を挟んで形成された左脚部１２と右脚部１３を有し、上端部に設けた開口部１４によって形成された把手部１５を備え、さらに、左脚部１２と右脚部１３の相互に対向する面に形成された左孔部１２ａと右孔部を有する。バネ材２０は、ブロック本体の左孔部１２ａに嵌入される左端部と、右孔部に嵌入される右端部を備える針金状で、中央部分にコイル状に巻回にしたコイル部２３を有する。【選択図】図１
0003200719.tif 000002
【実用新案登録請求の範囲】
【請求項１】
仮設柵（３０）の単管パイプ（３１）や支柱（３２）に、前記仮設柵の姿勢を安定させるために装着されるウエイトブロックであって、
平面長方形である本体部分の中間部及び下部に設けた切込凹所（１１）を挟んで形成された左脚部（１２）と右脚部（１３）を有し，上端部に設けた開口部（１４）によって形成された把手部（１５）を備え，前記左脚部と右脚部の相互に対向する面に形成された左孔部（１２ａ）と右孔部（１３ａ）を有するブロック本体１０と、
左端部（２１）が前記左孔部に嵌入されると共に，右端部（２２）が前記右孔部に嵌入される針金状で，中央部分にコイル状に巻回にしたコイル部（２３）を有するバネ材（２０）と、を備えることを特徴とするウエイトブロック。
【請求項２】
仮設柵（３０）の単管パイプ（３１）や支柱（３２）に、前記仮設柵の姿勢を安定させるために装着されるウエイトブロックであって、
平面長方形である本体部分の中間部及び下部に設けた切込凹所（１１）を挟んで形成された左脚部（１２）と右脚部（１３）を有し，上端部に設けた開口部（１４）によって形成された把手部（１５）を備え，前記左脚部と右脚部の相互に対向する面に形成された左孔部（１２ａ）と右孔部（１３ａ）を有するブロック本体（１０）と、
左端部（２１）が前記左孔部に嵌入されると共に，右端部（２２）が前記右孔部に嵌入される針金状で，中央部分にコイル状に巻回にしたコイル部（２３）を有するバネ材（２０）と、を備え
前記本体部分のおもて面または裏面に複数の凸部（１６）を設け，前記裏面またはおもて面の前記凸部に対向する部分に複数の凹部（１７）を設けたことを特徴とするウエイトブロック。
【請求項３】
前記本体部分の上面、左側面、右側面および下面の全体または一部に帯状の溝部（１８）を形成したことを特徴とする請求項１または２に記載のウエイトブロック。
【考案の詳細な説明】
【技術分野】
【０００１】
本考案は、例えば、工事現場などにおいて使用される仮設柵の支柱の下端部あるいは当該仮設柵に架設されている単管パイプに装着して、当該仮設柵の姿勢を安定に保つためのウエイトブロックに関するものである。
【背景技術】
【０００２】
従来から工事現場などにおいて、安全性の観点から通行人の進入を防止するための各種の仮設柵３０が使用されている。例えば、図１７に示す仮設柵３０では、その長手方向に架設された単管パイプ３１に金属製のウエイトブロック６０を係合させて、当該仮設柵３０の安定姿勢を維持している（特許文献１参照）。
【０００３】
また、仮設柵３０の他の形態として図１８に示すものがあり、この仮設柵３０はその支柱３２の下端部に転倒防止のための金属製のウエイトブロック６０が着脱自在に装着され、これにより当該仮設柵３０の安定姿勢が維持されている（特許文献２参照）。
【先行技術文献】
【特許文献】
【０００４】
【特許文献１】意匠登録第１３０８０９５号公報
【特許文献２】意匠登録第１５１７２２９号公報
【考案の概要】
【考案が解決しようとする課題】
【０００５】
こうした従来のウエイトブロック６０は通常、金属製であるため盗難に遭い易いといった問題がある。特に、図１７に示すウエイトブロック６０は単管パイプ３１に垂直姿勢で係合しており、把手部１５が空間に位置しているので簡単に持ち去られてしまい易い。盗難に遭い易いことは、図１８に示すウエイトブロック６０においても同様である。
【０００６】
また、図１８に示す形態で使用されるウエイトブロック６０は、その高さが自ずと限られているので、仮設柵３０を充分な安定姿勢で保持することが困難であるといった問題がある。特に、強風状態では容易に転倒してしまい易い。
【０００７】
本考案はこうした問題に鑑み創案されたもので、盗難に遭い難く、かつ、仮設柵を安定姿勢で保持することのできるウエイトブロックを提供することを課題とする。
【課題を解決するための手段】
【０００８】
図１乃至図１６を参照して説明する。請求項１に記載のウエイトブロック１は、仮設柵３０の単管パイプ３１や支柱３２に、当該仮設柵３０の姿勢を安定させるために装着されるものである。
【０００９】
このウエイトブロック１は、平面長方形である本体部分の中間部及び下部に設けた切込凹所１１を挟んで形成された左脚部１２と右脚部１３を有し、上端部に設けた開口部１４によって形成された把手部１５を備え、前記左脚部１２と右脚部１３の相互に対向する面に形成された左孔部１２ａと右孔部１３ａを有するブロック本体１０を備える。また、左端部２１が前記左孔部１２ａに嵌入されると共に、右端部２２が前記右孔部１３ａに嵌入される針金状で、中央部分にコイル状に巻回にしたコイル部２３を有するバネ材２０を備える。
【００１０】
請求項２に記載のウエイトブロック１は、仮設柵３０の単管パイプ３１や支柱３２に、当該仮設柵３０の姿勢を安定させるために装着されるものである。
【００１１】
このウエイトブロック１は、平面長方形である本体部分の中間部及び下部に設けた切込凹所１１を挟んで形成された左脚部１２と右脚部１３を有し、上端部に設けた開口部１４によって形成された把手部１５を備え、前記左脚部１２と右脚部１３の相互に対向する面に形成された左孔部１２ａと右孔部１３ａを有するブロック本体１０を備える。また、左端部２１が前記左孔部１２ａに嵌入されると共に、右端部２２が前記右孔部１３ａに嵌入される針金状で、中央部分にコイル状に巻回にしたコイル部２３を有するバネ材２０を備える。
【００１２】
また、前記本体部分のおもて面または裏面に複数の凸部１６を設け、前記裏面またはおもて面の前記凸部１６に対向する部分に複数の凹部１７を設けている。
【００１３】
請求項３に記載のウエイトブロック１は、請求項１または２に記載の考案において、前記本体部分の上面、左側面、右側面および下面の全体または一部に帯状の溝部１８を形成している。
【考案の効果】
【００１４】
請求項１に記載のウエイトブロック１は、左端部２１と右端部２２が、ブロック本体１０の左脚部１２と右脚部１３の相互に対向する面に形成された左孔部１２ａと右孔部１３ａにそれぞれ嵌入された針金状で、中央部分にコイル状に巻回にしたコイル部２３を有するバネ材２０を備えるので、盗難され難い。
【００１５】
すなわち、例えば、図６に示すように、ウエイトブロック１を仮設柵３０の単管パイプ３１に係合して使用する場合は、切込凹所１１の上面（突き当たり面１１ａ）とバネ材２０との間部分に単管パイプ３１を位置させる。これにより、当該ウエイトブロック１を盗むためにはバネ材２０を取り外す必要が生じる。
【００１６】
このバネ材２０は、針金状であり、その中間部分にコイル部２３を有する形状であり、かつ、その左端部２１と右端部２２を、それぞれ左孔部１２ａと右孔部１３ａに嵌入しているため、通常の工具（例えば、ペンチ）では取り外すことができない。従って、盗難され難い。
【００１７】
請求項２に記載のウエイトブロック１は、請求項１に記載の考案と同様にバネ材２０のはたらきによって盗難され難い。また、このウエイトブロック１は、本体部分のおもて面または裏面に複数の凸部１６を設け、裏面またはおもて面の凸部１６に対向する部分に複数の凹部１７を設けているので、例えば、仮設柵３０の支柱３２の下端部に装着する場合は、当該仮設柵３０をより安定した姿勢で保持することができる。
【００１８】
すなわち、複数のウエイトブロック１は寝かせた状態で積み重ね、例えば、上側のウエイトブロック１の裏面に設けた凹部１７に、下側のウエイトブロック１のおもて面に設けた凸部１６を挿入することにより、複数のウエイトブロック１を相互に異なる方向に横滑りさせることなく安定姿勢で積み重ねることができる。
【００１９】
こうして積み重ねた複数のウエイトブロック１の切込凹所１１に、例えば仮設柵３０の支柱３２を挿入することにより、当該支柱３２および仮設柵３０をより安定した姿勢で保持することができる。なお、この場合も、切込凹所１１の突き当たり面１１ａとバネ材２０との間に支柱３２を位置させることにより、ウエイトブロック１の盗難を抑制することができる。
【００２０】
請求項３に記載のウエイトブロック１は、請求項１および２に記載の考案と同様に、盗難に遭遇し難く、また仮設柵３０をより安定姿勢で保持することができる。また、本体部分の上面、左側面、右側面および下面の全体または一部に帯状の溝部１８を形成しているので、この溝部１８に針金やワイヤーなどの締結部材Ｗを周回させて締結することにより、バネ材２０に加えて、当該締結部材Ｗによってもウエイトブロック１の盗難を防止することができる。
【図面の簡単な説明】
【００２１】
【図１】本考案の第一実施形態に係るウエイトブロックを示す正面斜視図である。
【図２】図１に示すウエイトブロックを示す裏面斜視図である。
【図３】図１に示すウエイトブロックを示す正面図である。
【図４】本考案の第二実施形態に係るウエイトブロックを示す正面斜視図である。
【図５】図４に示すウエイトブロックを示す正面図である。
【図６】図１に示すウエイトブロックの使用状態を示す斜視図である。
【図７】図６のＸ−Ｘ線断面図である（第一実施形態に係るウエイトブロック）。
【図８】図６のＸ−Ｘ線断面図である（第二実施形態に係るウエイトブロック）。
【図９】本考案の第一実施形態および第二実施形態に係るウエイトブロックの他の使用状態を示す正面図である。
【図１０】図９に示す使用状態における二つのウエイトブロックの平面図である。
【図１１】図９に示す使用状態における二つのウエイトブロックの組付き状態を示す要部断面図である。
【図１２】本考案の第一実施形態および第二実施形態に係るウエイトブロックのさらに他の使用状態を示す正面図である。
【図１３】本考案の第一実施形態および第二実施形態に係るウエイトブロックのさらに他の使用状態を示す正面図である。
【図１４】本考案に係るウエイトブロックのバネ材を着脱するための工具を示す側面図である。
【図１５】図１４のＹ−Ｙ線断面図である。
【図１６】本考案に係るウエイトブロックのバネ材を着脱するための工具の使用状態を示す正面図である。
【図１７】従来例に係るウエイトブロックおよびその使用状態を示す要部斜視図（および正面図）である。
【図１８】他の従来例に係るウエイトブロックの使用状態を示す正面図である。
【考案を実施するための形態】
【００２２】
本考案に係るウエイトブロック１の第一実施形態を、図１乃至図３に示す。当該ウエイトブロック１はブロック本体１０とバネ材２０を備える。ブロック本体１０は鉄などの金属で構成することができ、バネ材２０は鋼鉄などの金属で構成することができるが、それらに限定されない。
【００２３】
ブロック本体１０は、平面長方形（肉薄の直方体形状）である本体部分の中間部及び下部に設けた切込凹所１１を挟んで形成された左脚部１２と右脚部１３を有する。また、本体部分の上端部に設けた開口部１４によって形成された把手部１５を有する。切込凹所１１の突き当たり面１１ａは平面半円状としている。
【００２４】
左脚部１２と右脚部１３の切込凹所１１を挟んで相互に対向する面には、それぞれ左孔部１２ａと右孔部１３ａを形成している。左孔部１２ａと右孔部１３ａはそれぞれ左脚部１２および右脚部１３の左右方向の途中部分まで達するものであり、貫通させていない。
【００２５】
バネ材２０は、その左端部２１とブロック本体１０の左孔部１２ａに嵌入され、その右端部２２がブロック本体１０の右孔部１３ａに嵌入される。左孔部１２ａと右孔部１３ａは貫通していないので、バネ材２０の取り外しを困難であり、従ってウエイトブロック１の盗難を、より確実に防止することができる。
【００２６】
バネ材２０の太さは左孔部１２ａおよび右孔部１３ａの径とほぼ同じに設定し、左端部２１と右端部２２が、それぞれ左孔部１２ａと右孔部１３ａにほぼ密に嵌入するように設定している。これにより、バネ材２０の取り外しを困難とし、ウエイトブロックの盗難をさらに防止している。
【００２７】
このバネ材２０は一本の針金状の金属部材で形成したものであり、その中央部分をコイル状に巻回してコイル部２３を形成している。コイル部２３の外径は、左孔部１２ａおよび右孔部１３ａの径よりも大きい。
【００２８】
また、本実施形態に係るウエイトブロック１は、本体部分のおもて面に凸部１６を設けている。また、本体部分の裏面に凹部１７を設けている。凸部１６は、凹部１７にほぼ密に挿入できる形状を備える。
【００２９】
本考案に係るウエイトブロック１の第二実施形態を、図４、図５および図８に示す。このウエイトブロック１の特徴は、本体部分の上面（把手部１５を除く）、左側面、右側面および下面の中央部分にその全体（全長）にわたって連続的に帯状の溝部１８を形成していることである。この溝部１８に針金やワイヤーなどの締結部材Ｗを周回させて締結することにより（図８参照）、バネ材２０に加えて、当該締結部材Ｗによってもウエイトブロック１の盗難を防止することができる。
【００３０】
本考案の第一実施形態および第二実施形態に係るウエイトブロック１は、図６乃至図８示すような態様で使用することができる。すなわち、工事現場などで使用される仮設柵３０の単管パイプ３１にウエイトブロック１を係合させて、当該仮設柵３０に重みを加えることによりその姿勢を安定させる。
【００３１】
ここで、切込凹所１１の突き当たり面１１ａに単管パイプ３１の上面を当接させ、当該単管パイプ３１を突き当たり面１１ａとバネ材２０との間に位置させる。このバネ材２０によって単管パイプ３１を抜き取ることができないので、ウエイトブロック１の盗難を未然に防止することができる。
【００３２】
また、第二実施形態に係るウエイトブロックでは、前述したように、バネ材２０と締結部材Ｗの二つの部材で盗難を防止することができるので、きわめて効果的である。
【００３３】
また、本考案に係るウエイトブロック１は、図９乃至図１１に示す態様で使用することもできる。ここでは工事用などの仮設柵３０の支柱３２の下端部に、二つのウエイトブロック１を上下に角度的にずらした状態で積み重ね、下側のウエイトブロック１のおもて面（上面）に形成した複数の凸部１６のそれぞれに、上側のウエイトブロック１の裏面（下面）に形成した複数の凹部１７のそれぞれを嵌入する。これにより、上側と下側のウエイトブロック１が相互横方向にずれるのを防止している。
【００３４】
ウエイトブロック１は平面長方形であり、その四方の対応する部分に凹部１７と凸部１６を形成しているので、こうしたずらした積み重ねが可能である。なお、ウエイトブロック１を９０度ずらして積み重ねることによって、上下の切込凹所１１がそれぞれ横方向に閉塞状態を形成するので、支柱３２をより安定姿勢で保持することができる。
【００３５】
また、二つのウエイトブロック１を上下に積み重ねることによって、一つのウエイトブロック１の場合よりも、支柱３２をより長い（深い）範囲で支持することができる。従って、仮設柵３０がより安定姿勢で支持することができる。
【００３６】
なお、この場合、支柱３２を切込凹所１１の突き当たり面１１ａとバネ材２０との間に位置させることにより、ウエイトブロック１を横滑りさせて支柱３２から抜き出すことができないので、当該ウエイトブロック１の盗難を抑制することができる。
【００３７】
本考案に係るウエイトブロック１は、また図１２に示すように使用することができる。これは、宣伝用などの幟（のぼり）４０を支持するものであり、その竿部４１の下端部に上下に積み重ねた三つのウエイトブロック１を装着し、竿部４１の下端部をより長い範囲で支持することによって幟４０を安定姿勢で支持している。
【００３８】
この場合、最下位と中間のウエイトブロック１を９０度ずらすと共に、中間と最上位のウエイトブロック１をさらに９０度ずらして配置している。また、最下位のウエイトブロック１の凸部１６を中間のウエイトブロック１の凹部１７に嵌入すると共に、中間のウエイトブロック１の凸部１６を最上位のウエイトブロック１の凹部１７に嵌入し、それぞれのウエイトブロック１が相互に横ずれするのを防止している。
【００３９】
さらに、本考案に係るウエイトブロック１は図１３に示すように傾斜状態で使用することができる。ここでは三脚の支柱３２を保持しており、当該三脚のそれぞれが不規則に傾斜しているため、ウエイトブロック１を水平姿勢で装着することができない状態を示している。本考案に係るウエイトブロック１は、上側のウエイトブロック１の凹部１７に下側のウエイトブロック１の凸部１６を嵌入することにより、４５度前後の傾斜角度αに対応することができる。すなわち、上下二つのウエイトブロック１が相互異なる方向に横滑りしない。
【００４０】
なお、上記実施形態に係るウエイトブロック１のバネ材２０は、専用の工具５０を使用してその取り付けおよび取り外しを行う。この専用の工具５０は、図１４乃至図１６に示すように、グリップ部５１と、平面略Ｕ字状の支持部５２と、その支持部５２の中間部分である空間部５３に進入する押圧部５４とを備える。
【００４１】
バネ材２０のコイル部２３を空間部５３の上に配置した状態でグリップ部５１を握ることにより、押圧部５４がコイル部２３を上から下方に押圧する（図１６（ａ）参照）。この押圧によってバネ材２０のコイル部２３に近接する左右両側部分が支持部５２によって支持されるので、コイル部２３に押圧力が作用してバネ材２０が弾性変形して折曲げ状態となり、その長さが短くなる（図１６（ｂ）参照）。これによりバネ材２０の左端部２１および右端部２２のそれぞれを、ブロック本体１０の左孔部１２ａおよび右孔部１３ａから離脱（あるいは挿入）することができる。
【００４２】
本考案の上記第一実施形態および第二実施形態に係るウエイトブロック１は、次の作用効果を発揮する。
【００４３】
（イ）左端部２１と右端部２２が、ブロック本体１０の左孔部１２ａと右孔部１３ａに嵌入される針金状で、中央部分にコイル状に巻回にしたコイル部２３を有するバネ材２０を備えるので、ウエイトブロック１の盗難を未然に防止あるいは抑制することができる。
【００４４】
（ロ）左孔部１２ａと右孔部１３ａは、それぞれ左脚部１２および右脚部１３を貫通させていないので、バネ材２０の取り外しが困難となる。これにより、ウエイトブロック１の盗難をさらに未然に防止することができる。
【００４５】
（ハ）バネ材２０の左端部２１と右端部２２を、左孔部１２ａと右孔部１３ａのそれぞれにほぼ密に嵌入するように設定している。これにより、バネ材２０の取り外しを困難とし、ウエイトブロックの盗難をより確実に防止することができる。
【００４６】
（ニ）本体部分を平面長方形としているので、複数のウエイトブロック１を上下に積み重ねて使用する場合、隣接するウエイトブロック１を相互にずらして使用することができる。これにより、上下の切込凹所１１を閉塞状態とすることができるので、仮設柵３０の支柱３２や幟４０の竿部４１などの下端部に装着する場合は、当該仮設柵３０あるいは幟４０などをより安定した姿勢で保持することができる。
【００４７】
（ホ）本体部分のおもて面に複数の凸部１６を設け、裏面の凸部１６に対向する部分に複数の凹部１７を設けているので、複数のウエイトブロック１を上下に積み重ねて使用する場合、凸部１６を凹部１７に嵌入することにより複数のウエイトブロック１が相互逆横方向にずれるのを防止することができる。従って、仮設柵３０の支柱３２や幟４０の竿部４１などの下端部に装着する場合は、当該仮設柵３０あるいは幟４０などをさらに安定した姿勢で保持することができる。
【００４８】
（ヘ）本体部分の上面、左側面、右側面および下面のほぼ全体にわたって帯状の溝部１８を連続的に形成し、当該溝部１８に針金やワイヤーなどの締結部材Ｗを周回して締結することにより、ウエイトブロック１の盗難をさらに確実に防止することができる。
【産業上の利用可能性】
【００４９】
上記実施形態に係るウエイトブロックは、仮設柵および幟を安定姿勢で保持する場合について説明したが、それ以外の安定姿勢が要求される物品（例えば、立て看板、仮設のフェンスなど）に装着して使用することもできる。
【符号の説明】
【００５０】
１        ウエイトブロック
１０      ブロック本体
１１      切込凹所
１１ａ    突き当たり面
１２      左脚部
１２ａ    左孔部
１３      右脚部
１３ａ    右孔部
１４      開口部
１５      把手部
１６      凸部
１７      凹部
１８      溝部
２０      バネ材
２１      左端部
２２      右端部
２３      コイル部
３０      仮設柵
３１      単管パイプ
３２      支柱
４０      幟（のぼり）
４１      竿部
５０      工具
５１      グリップ部
５２      支持部
５３      空間部
５４      押圧部
６０      従来のウエイトブロック
Ｗ        締結部材
α        傾斜角度
【図１】
0003200719.tif 000003
【図２】
0003200719.tif 000004
【図３】
0003200719.tif 000005
【図４】
0003200719.tif 000006
【図５】
0003200719.tif 000007
【図６】
0003200719.tif 000008
【図７】
0003200719.tif 000009
【図８】
0003200719.tif 000010
【図９】
0003200719.tif 000011
【図１０】
0003200719.tif 000012
【図１１】
0003200719.tif 000013
【図１２】
0003200719.tif 000014
【図１３】
0003200719.tif 000015
【図１４】
0003200719.tif 000016
【図１５】
0003200719.tif 000017
【図１６】
0003200719.tif 000018
【図１７】
0003200719.tif 000019
【図１８】
0003200719.tif 000020